(57)【要約】【課題】スクリーンに風等の外力が作用しても下レールからの離脱を抑制でき、かつ離脱時の復旧が容易なスクリーンガイドを備える横引きスクリーン装置を提供する。【解決手段】横引きの可動桟６により開閉されるスクリーン７の下端を、該可動桟の下端から導出入されるスクリーンガイド１２に係合保持させるバリアフリー型のスクリーン装置において、該スクリーンガイドを、両側壁上部から突出する張出し部１０ａを備えた薄板状の下レール１０によりガイドされる多数のガイド駒１３の連結により構成する。該ガイド駒は、基台部１４の両側の一対の垂下壁１５の下端から内側に突出する一対の鈎部２１，２２を備え、該鈎部の突出長さｅ，ｆに大小の差異を持たせ、しかも該突出長さの大小が左右で逆になっているＡ，Ｂ２種の形態のものを含ませて、それらの多数を連結することにより、スクリーンガイドを構成させる。【選択図】図３
2018003546.tif 000002
【特許請求の範囲】
【請求項１】
スクリーン枠の側枠と該側枠に対して横引きで開閉移動可能な可動桟との間に拡縮可能なスクリーンが設置され、上記可動桟の開閉移動に伴って側枠との間に導出入される該スクリーンの下端に沿って、上記可動桟の移動により上記側枠又は可動桟の下端から導出入されて、該スクリーンの下端をガイドするスクリーンガイドが設けられ、該スクリーンガイドは、多数のガイド駒の連結により上に凹なる方向に可撓に構成され、その一端が上記側枠と可動桟の一方における下端部に固定され、他端が該側枠と可動桟の他方における下端部に設けた開口からその内部に湾曲して出入りする構成を備え、上記ガイド駒の上面に設けたスクリーンの張設方向に沿う係合溝に、上記スクリーンの下端縁に沿って設けた多数の係合部材を摺動自在に係合保持させるようにしたバリアフリー型横引きスクリーン装置において、
上記スクリーン枠の下辺に設置して上記スクリーンガイドの導出入をガイドさせる薄板状下レールを、その両側壁上部に外側に向けて突出する張出し部を有する一定断面形状のものとし、
上記ガイド駒は、上記下レールによりガイドされる基台部の下面両側に設けた一対の垂下壁により、該下レール上を摺動自在に跨ぐ下向きの凹溝を形成すると共に、該両垂下壁の下端から内側に向けて突出する一対の鈎部を、それらの先端間の間隙を通して下レールの両側張出し部が通過可能なものとして形成し、しかも、上記ガイド駒は、少なくとも、上記凹溝両側の垂下壁から内側に向けての両鈎部の突出長さに大小の差異を持たせ、且つ上記鈎部の突出長さの大小が左右で逆になっている２種の形態のものを含み、
上記スクリーンガイドは、連結されている上記２種のガイド駒における該スクリーンガイドの一側の鈎部の突出長さの大小が、１乃至数個のガイド駒置きに異なるものとなるように形成され、
それにより、常時は、上記ガイド駒における突出長さの大きい鈎部の先端部が、下レールの両側の上記張出し部の下にまで突入し、突出長さの小さい鈎部の先端部は、下レールの張出し部の下にまで達しないように構成されている、
ことを特徴とするバリアフリー型横引きスクリーン装置。
【請求項２】
上記スクリーン枠の下辺に設置される下レールの両側壁上部から突出する張出し部の下面を、該張出し部の基端側から先端側に向けて斜め上向きに傾斜する傾斜面とし、
一方、上記２種のガイド駒における垂下壁の下端から内側に向けて突出する突出長さの大きい鈎部における上側面を、上記下レールの張出し部の下面に形成した傾斜面と接面する方向に傾斜させた傾斜面とし、
可動桟の操作によるスクリーンガイドの下レールに沿う移動時に、上記下レールの傾斜面に対してガイド駒の鈎部の傾斜面が接触して受ける押圧力が、ガイド駒の鈎部を下レールの側方に押し出す分力を持っている、
ことを特徴とする請求項１に記載のバリアフリー型横引きスクリーン装置。
【請求項３】
上記２種以外の形態のガイド駒における上記一対の垂下壁の下端の両側に設けている鈎部の突出長さは、上記２種の形態のガイド駒の小さい方の突出長さと同じかそれ以下である、
ことを特徴とする請求項１又は２に記載のバリアフリー型横引きスクリーン装置。
【請求項４】
上記スクリーンガイドを上記２種の形態のガイド駒のみにより構成し、隣接する各ガイド駒の一側の鈎部が、交互に大小の異なる突出長さを持つものとしている、
ことを特徴とする請求項１又は２に記載のバリアフリー型横引きスクリーン装置。
【請求項５】
上記スクリーンガイドが、上記２種以外の形態のガイド駒の複数置きに、上記２種の形態のガイド駒をそれぞれ交互に、且つ離散的に連結することにより構成されている、
ことを特徴とする請求項１〜３の何れかに記載のバリアフリー型横引きスクリーン装置。
【請求項６】
スクリーン枠の側枠と可動桟との間に、巻取り方向にバネ付勢された巻取軸に巻回されているスクリーンが、上記側枠と可動桟の一方に該巻取軸を、他方に該巻取軸から導出されたスクリーンの先端を支持させることにより設置されている、
ことを特徴とする請求項１〜５の何れかに記載のバリアフリー型横引きスクリーン装置。
【発明の詳細な説明】
【技術分野】
【０００１】
本発明は、防虫、遮光、断熱、防塵等を目的として、建物開口部に設置するためのバリアフリー型横引きスクリーン装置に関するものである。
【背景技術】
【０００２】
特許文献１に開示されているように、スクリーン枠の側枠と該側枠に対して横引きで開閉移動可能にガイドされる可動桟との間に、巻取軸に巻取られるスクリーンを配設し、上記可動桟の開閉移動に伴って側枠との間に導出入される該スクリーンの下端に沿い、側枠又は可動桟の下端から導出入されて該スクリーンの下端をガイドするスクリーンガイドを備えたバリアフリー型の横引きスクリーン装置は、既に知られている。上記スクリーンガイドは、多数のガイド駒の連結により上に凹なる方向に可撓に構成され、その一端が上記側枠又は可動桟の一方の下端部に固定され、他端が側枠又は可動桟の他方の下端部に設けた開口からその内部に湾曲して出入りする構成を備え、上記ガイド駒の上面に設けたスクリーンの張設方向に沿う係合溝に、上記スクリーンの下端縁に沿って設けた多数の係合部材を摺動自在に係合保持させるようにしたものである。
【０００３】
そして、上記特許文献１の図１１の（ｂ）に開示のガイド駒では、その下面側に下レール上を摺動自在に跨ぐ凹溝を設け、該凹溝により多数のガイド駒を連結したスクリーンガイドを下レール上に跨乗させてガイドしているが、スクリーンガイドを単に下レールに跨乗させただけでは、スクリーンに作用する風その他の外力によりスクリーンガイドが下レールから離脱する可能性が高く、一方、同図の（ｃ）のように、ガイド駒の下面に凹溝の開口縁から内側に向かう一対の鈎部を形成した場合には、下レールの両側壁上部から外側に向けて設けた張出し部に上記鈎部が係合し、そのため、スクリーンガイドの下レールからの離脱が抑制され、スクリーンガイドがより確実に下レールにガイドされる。しかしながら、この場合には、スクリーン対して幼児やペットらによる大きな外力が作用したときに、スクリーンやガイド駒が破損するという問題がある。
【０００４】
このようなスクリーンやガイド駒の破損を避けるための手段としては、図８の（ａ）に示しているように、下レール４０を、帯状薄板の両側壁上部に外側に向けて突出する張出し部４１を設けたものとし、一方、ガイド駒４３は、下レール４０によりガイドされる基台部４４の下面両側に設けた一対の垂下壁４５により、該下レール４０上を摺動自在に跨ぐ凹溝４６を形成すると共に、該両垂下壁４５の下端から内側に向けて突出する一対の鈎部５０を備えたものとし、しかし、該鈎部５０の内端間の幅を下レール４０の張出し部４１の先端間の長さよりも幅広に形成して、上記ガイド駒４３が下レール４０から取り外し自在ではあるが、同図（ｂ）のようなスクリーン面Ｓへの風等による外力Ｗの作用によりガイド駒４３が矢印Ｐ方向に移動したときには、上記鈎部５０が下レール４０の張出し部４１に係止するものとすればよく（特願２０１５−１１４２３２号参照）、これにより、風等によるスクリーンガイドの下レール４０からの離脱を抑制し、しかも、上記破損の問題も避けることができる。
【０００５】
しかしながら、上述した図８の（ａ）のようなガイド駒４３を用いるスクリーンガイドでは、風等の比較的小さい外力がスクリーンに対し比較的ゆっくりした動きを与えるときには、ガイド駒４３が側方へ移動したときにガイド駒４３の鈎部５０が下レール４０の張出し部４１に係止するが、例えば、急激に強い風が吹いたり、幼児やペットらによりスクリーン７に突然に大きな動きが加えられたときには、図８の（ｂ）に示すように、ガイド駒４３の鈎部５０が下レール４０の張出し部４１に深く係止する前に矢印Ｕで示す上向きの力が作用して上方に引き上げられ、下レールに対する係止が不安定なスクリーンガイドのガイド駒４３が下レール４０から離脱しやすくなり、そのため、スクリーン装置を設置する建物開口部の設置環境によっては、上記図８の（ａ）のようなガイド駒４３を連結したスクリーンガイドでは、必ずしも下レール４０に安定的にガイドされると言えない。
【先行技術文献】
【特許文献】
【０００６】
【特許文献１】特開２００４−３４６５７８号公報
【発明の概要】
【発明が解決しようとする課題】
【０００７】
本発明の技術的課題は、スクリーン枠内において可動桟により横引きで開閉可能なスクリーンを備え、該可動桟による開閉移動に応じて導出入されるスクリーンの下端をスクリーンガイドによりガイドするバリアフリー型のスクリーン装置において、急激に強い風が吹いたり、幼児やペットらによりスクリーンに突然に大きな動きが加えられたときに、スクリーンガイドが下レールから離脱するようなことがなく、しかも、スクリーンガイドが上方に引き上げられる力がより大きくなったときには、該スクリーンガイドが下レールから離脱して、スクリーンやガイド駒の損傷を避けることを可能にした横引きスクリーン装置を提供することにある。
【課題を解決するための手段】
【０００８】
上記課題を解決するため、本発明によれば、スクリーン枠の側枠と該側枠に対して横引きで開閉移動可能な可動桟との間に拡縮可能なスクリーンが設置され、上記可動桟の開閉移動に伴って側枠との間に導出入される該スクリーンの下端に沿って、上記可動桟の移動により上記側枠又は可動桟の下端から導出入されて、該スクリーンの下端をガイドするスクリーンガイドが設けられ、該スクリーンガイドは、多数のガイド駒の連結により上に凹なる方向に可撓に構成され、その一端が上記側枠と可動桟の一方における下端部に固定され、他端が該側枠と可動桟の他方における下端部に設けた開口からその内部に湾曲して出入りする構成を備え、上記ガイド駒の上面に設けたスクリーンの張設方向に沿う係合溝に、上記スクリーンの下端縁に沿って設けた多数の係合部材を摺動自在に係合保持させるようにしたバリアフリー型横引きスクリーン装置において、上記スクリーン枠の下辺に設置して上記スクリーンガイドの導出入をガイドさせる薄板状下レールを、その両側壁上部に外側に向けて突出する張出し部を有する一定断面形状のものとし、上記ガイド駒は、上記下レールによりガイドされる基台部の下面両側に設けた一対の垂下壁により、該下レール上を摺動自在に跨ぐ下向きの凹溝を形成すると共に、該両垂下壁の下端から内側に向けて突出する一対の鈎部を、それらの先端間の間隙を通して下レールの両側張出し部が通過可能なものとして形成し、しかも、上記ガイド駒は、少なくとも、上記凹溝両側の垂下壁から内側に向けての両鈎部の突出長さに大小の差異を持たせ、且つ上記鈎部の突出長さの大小が左右で逆になっている２種の形態のものを含み、上記スクリーンガイドは、連結されている上記２種のガイド駒における該スクリーンガイドの一側の鈎部の突出長さの大小が、１乃至数個のガイド駒置きに異なるものとなるように形成され、それにより、常時は、上記ガイド駒における突出長さの大きい鈎部の先端部が、下レールの両側の上記張出し部の下にまで突入し、突出長さの小さい鈎部の先端部は、下レールの張出し部の下にまで達しないように構成されていることを特徴とするバリアフリー型横引きスクリーン装置が提供される。
【０００９】
上記構成を有する横引きスクリーン装置では、多数のガイド駒を連結したスクリーンガイドにおいて、連結したガイド駒の一側の鈎部が、１乃至数個のガイド駒置きに突出長さを異なるものとして連結し、それにより、常時は、上記ガイド駒における突出長さの大きい鈎部の先端部を、下レールの張出し部の下側に左右から交互に突入させているので、スクリーンに対し急激に強い風が吹き付けたり、幼児やペットらによりスクリーンに突然に大きな動きが加えられ、下レールに対してガイド駒が側方にずれ動く前に上方に引き上げられるようなことがあっても、突出長さの大きい鈎部の先端部がガイド駒の１乃至数個置きに下レールの張出し部の下側に係止するため、一旦はガイド駒の上方への移動が抑止され、スクリーンの下端が下レールに保持された状態が維持される。
【００１０】
しかしながら、上記突出長さの大きい鈎部の先端部が下レールの張出し部の下側に安定的に係止するわけではなく、ガイド駒の鈎部の先端間の間隙は、それを通して下レールの両側張出し部が通過可能な幅を持ち、しかも、突出長さの大きい鈎部に対向している突出長さが短い鈎部の先端部は常に下レールの張出し部に係止しない位置にあり、ガイド駒自体が下レールに対して側方にずれ動くことも可能になっているので、スクリーンに作用する力がより大きくなれば、ガイド駒の下レールに対する係止が外れて引き上げられ、スクリーンやガイド駒の破損は防止される。また、スクリーンガイドの下レールに対する再係合も容易に行うことができる。なお、風等の外力によりスクリーンに対し比較的ゆっくりした動きが与えられるときには、スクリーンの下端がスクリーンガイドにより安定的にガイドされるのは勿論である。
【００１１】
本発明に係る上記横引きスクリーン装置の好ましい実施形態においては、上記スクリーン枠の下辺に設置される下レールの両側壁上部から突出する張出し部の下面を、該張出し部の基端側から先端側に向けて斜め上向きに傾斜する傾斜面とし、一方、上記２種のガイド駒における垂下壁の下端から内側に向けて突出する突出長さの大きい鈎部における上側面を、上記下レールの張出し部の下面に形成した傾斜面と接面する方向に傾斜させた傾斜面とし、可動桟の操作によるスクリーンガイドの下レールに沿う移動時に、上記下レールの傾斜面に対してガイド駒の鈎部の傾斜面が接触して受ける押圧力が、ガイド駒の鈎部を下レールの側方に押し出す分力を持ものとして構成される。
【００１２】
このような構成を有するスクリーンガイドでは、スクリーンに対し急激に強い風が吹き付けたり、幼児やペットらによりスクリーンに突然に大きな動きが加えられ、下レールに対してガイド駒が側方にずれ動く前に上方に引き上げられるような力が作用しても、突出長さの大きい鈎部の先端部が、ガイド駒の１乃至数個置きに下レールの張出し部の下側に係止するため、一旦はガイド駒の上方への移動が抑止され、スクリーンガイドの下端が下レールに保持された状態になるが、上記下レールの張出し部の下面が基端側から先端側に斜め上向きに傾斜する傾斜面であり、また、その傾斜面に当接するガイド駒の突出長さの大きい鈎部が、該下レールの傾斜面と接面する傾斜面になっているので、ガイド駒の鈎部が下レールに接触したときに、ガイド駒が下レールから受ける押圧力により側方に押し出されやすく、それにより両傾斜面の接触力が大きければガイド駒が下レールから離脱し、スクリーンやガイド駒の損傷がより確実に抑制される。
【００１３】
また、本発明に係る上記横引きスクリーン装置の他の好ましい実施形態においては、上記２種以外の形態のガイド駒における上記一対の垂下壁の下端の両側に設けている鈎部の突出長さを、上記２種の形態のガイド駒の小さい方の突出長さと同じかそれ以下に設定し、スクリーンガイドが必要以上に下レールに係合しないように配慮するために、上記２種のガイド駒に混入される。
【００１４】
本発明に係る上記横引きスクリーン装置の他の好ましい実施形態においては、上記スクリーンガイドを上記２種の形態のガイド駒のみにより構成し、隣接する各ガイド駒の一側の鈎部が、交互に大小の異なる突出長さを持つものとし、或いは、上記２種以外の形態のガイド駒の複数置きに、上記２種の形態のガイド駒をそれぞれ交互に、且つ離散的に連結することにより構成される。
【００１５】
更に、本発明に係る上記横引きスクリーン装置の他の好ましい実施形態においては、スクリーン枠の側枠と可動桟との間に、巻取り方向にバネ付勢された巻取軸に巻回されているスクリーンが、上記側枠と可動桟の一方に該巻取軸を、他方に該巻取軸から導出されたスクリーンの先端を支持させることにより設置される。
【発明の効果】
【００１６】
以上に詳述した本発明のバリアフリー型横引きスクリーン装置によれば、既存のバリアフリー型の横引きスクリーン装置において、風等の外力によりスクリーンに対し比較的ゆっくりした動きが与えられるときには、スクリーンの下端がスクリーンガイドにより安定的にガイドされるのは勿論、急激に強い風が吹いたり、幼児やペットらによりスクリーンに突然に大きな動きが加えられたときに、スクリーンガイドが下レールから離脱するようなことがなく、しかも、スクリーンガイドが上方に引き上げられる力がより大きくなったときには、該スクリーンガイドが下レールから離脱して、スクリーンやガイド駒の損傷を避けることができる。
【図面の簡単な説明】
【００１７】
【図１】本発明に係るバリアフリー型横引きスクリーン装置の実施例を示す正面図である。
【図２】本発明に係る横引きスクリーン装置において用いているスクリーンガイドの要部拡大斜視図である。
【図３】（ａ）及び（ｂ）は、本発明に係るスクリーン装置において用いるスクリーンガイドを構成するところの２種のガイド駒の構成を、それぞれ下レールとの関連において示す正面図である。
【図４】図３の（ａ）に示すガイド駒の右側断面図である。
【図５】下レールにガイド駒がガイドされる状態において、下レールの断面における各部と、図３の（ａ）及び（ｂ）のガイド駒における鈎部の各部との位置的関係を示す説明図である。
【図６】本発明のスクリーン装置において用いるスクリーンガイドの一例における図３の（ａ）及び（ｂ）のガイド駒の配列例を示す模式的構成図である。
【図７】本発明のスクリーン装置において用いるスクリーンガイドの図６とは異なるガイド駒の配列例を示す構成図である。
【図８】（ａ）は、既開発のスクリーン装置におけるスクリーンガイドのガイド駒の構成を、下レールとの関連において示す正面図、（ｂ）はそのガイド駒を用いたスクリーンガイドの動作説明図である。
【発明を実施するための形態】
【００１８】
図１〜図７は、本発明に係るバリアフリー型横引きスクリーン装置の実施例を示している。この横引きスクリーン装置は、防虫、遮光、断熱、防塵等のために建物開口部１にバリアフリー型のものとして設置するもので、図１に示すように、該建物開口部１に収容するスクリーン枠２を、一対の側枠３，４及び該側枠３，４の上部を相互に連結する上枠５によって構成し、該スクリーン枠２における一方の側枠３は、スクリーン７を巻き取る巻取軸８を回転可能に収容した巻取りボックスとし、他方の側枠４は、上記巻取軸８に巻回されたスクリーン７の先端に取り付けた可動桟６がスクリーン７の展張時に当接される受け枠として構成している。上記側枠３と可動桟６との間に張設するスクリーン７は、側枠３内の巻取軸８に該スクリーン７が巻回され、その先端が可動桟６に取り付けられて、巻取軸８内に収容したスプリング９により、巻取軸８への巻取り方向にバネ付勢して拡縮可能に設置したものであるが、必ずしもかかる構成に限るものではなく、可動桟６内に巻取軸８を収容し、側枠３にスクリーン７の先端を固定することもできる。
【００１９】
上記スクリーン装置は、スクリーン枠２によりガイドされる横引きの可動桟６の開閉移動に伴って、側枠３の巻取軸８からそれに卷回されたスクリーン７が導出入されるが、それと同時に、導出入される該スクリーン７の下端に沿って、上記可動桟６の下端から導出入されて、該スクリーン７の下端をガイドするところのスクリーンガイド１２を備えている。このスクリーンガイド１２は、図１及び図２に示すように、多数のガイド駒１３の連結により上に凹なる方向に可撓に構成されたものである。該スクリーンガイド１２の一端は、上記側枠３と可動桟６の一方における下端部に固定され、他端は該側枠３と可動桟６の他方における下端部に設けた開口からその内部に湾曲して出入りする構成を備えるものであるが、図１ではその一端を側枠３の下端に固定し、他端を可動桟６の下端部に設けた開口６ａからその内部に出入り可能にした実施例を示している。
【００２０】
上記スクリーン装置は、本来、スクリーン枠２の下枠を設けるべきところに設置した下レール１０に沿って、本来の下枠に対応するスクリーンガイド１２を、スクリーン７の張設範囲にのみ導出して、スクリーン７が導出されていないところに本来の下枠が存在しないようにし、その部分をバリアフリー化するものである。そのため、上記スクリーン枠２の下辺に設ける本来の下枠に代えて、上記スクリーンガイド１２の導出入をガイドさせる薄板状の下レール１０を設置している。この下レール１０は、その両側壁上部に外側に向けて突出する張出し部１０ａを有する一定断面形状の長尺のレールであるが、その厚さは本来の敷居に設けられる建具のガイド用の凹凸程度のもので、歩行等の障害になるものではない。なお、上記可動桟６は、この下レール１０と前記上枠５とにより上下端の開閉移動をガイドされるものである。
【００２１】
上記スクリーンガイド１２の構成について、図１〜図４を参照して更に詳細に説明すると、上記スクリーンガイド１２を構成する主要なガイド駒１３としては、図３の（ａ）及び（ｂ）に示す２種のものがあるが、これらは、基本的には上記下レール１０にガイドされる基台部１４の下面両側に一対の垂下壁１５を設け、それらにより、該下レール１０上を摺動自在に跨ぐ下向きの凹溝１６を形成させ、該凹溝１６により、多数のガイド駒１３を連結したスクリーンガイド１２を下レール１０上に跨乗させて、ガイド可能に形成している。
【００２２】
このガイド駒１３の多数の連結は、上記基台部１４とその上部に設けるスクリーン保持部２０との間に、該基台部１４の上面に沿って下レール１０に沿う方向に貫通する挿通路１７を形成し、この挿通路１７に弾性及び可撓性のある合成樹脂シートからなる長尺の連結条１８を挿通して、両端のガイド駒１３を該連結条に固定することにより行っている。相互に連接する基台部１４の上に位置する挿通路１７に連結条１８を挿通してガイド駒１３を連結するのは、スクリーンガイド１２を上方のみに凹に湾曲可能に連結するために有効なものである。
【００２３】
また、上記ガイド駒１３における基台部１４の両側において上方に延びる立面壁２０ａにより支持されたスクリーン保持部２０の上面には、スクリーン７の張設方向に沿う係合溝２０ｂを設け、隣接する多数のガイド駒１３において連通する該係合溝２０ｂに、スクリーン７の下端縁に沿って設けた多数の係合部材７ａ（図１参照）を摺動自在に係合保持させている。なお、スクリーン７の上端縁に沿って設けた多数の係合部材７ｂは、上枠５内に設けた直線上のインナーレール５ａに摺動自在に係合保持させている。更に、上記ガイド駒１３は、基台部１４の下レール１０に沿う方向の一端側に、隣接するガイド駒１３との連結の安定化のための連結凸部１４ａが、他端側には、隣接するガイド駒の該連結凸部１４ａが嵌入する連結凹部１４ｂがそれぞれ設けられ、ガイド駒１３の連結により形成されるスクリーンガイド１２の上に凸なる湾曲を可及的に抑制するように形成している。
【００２４】
ガイド駒１３の連結によって構成されるスクリーンガイド１２は、上述した構成を有するものであるが、そのスクリーンガイド１２を構成する該ガイド駒１３の具体的構成は、図３〜図５を参照して以下に説明するように少なくとも３種の形態がある。それらの形態は、本発明の特徴的構成を備える図３の（ａ）及び（ｂ）に示す２種のものと、図８に示すような形態や既知の形態を含む第３の形態であり、スクリーンガイド１２においては、上記図３の（ａ）及び（ｂ）に示す２種のガイド駒と、必要に応じて、上記第３の形態のガイド駒とが、後述する態様で混用される。
【００２５】
なお、図４は、図３の（ａ）に示すガイド駒１３の右側断面を示すものであるが、図４を左右対象に描いた形態が、図３の（ｂ）に示すガイド駒１３の左側断面図になり、そのため、両者のガイド駒１３は対称の形態を備えることになる。そこで、以下の説明においては、図３の（ａ）に示す形態のものをガイド駒Ａと呼び、図３の（ｂ）に示す形態のものをガイド駒Ｂと呼ぶことにする。
【００２６】
図３の（ａ）（ｂ）及び図４を参照して、上記２種のガイド駒Ａ及びガイド駒Ｂの構成について更に詳細に説明するに、まず、これらの２種のガイド駒Ａ及びＢが上述した基本的な構成を備えていることは勿論であるが、それらのガイド駒Ａ，Ｂは、該基本的な構成に加えて、基台部１４の下面両側に設けた一対の垂下壁１５の下端から内側に向けて突出する一対の鈎部２１，２２を、それらの先端間の間隙ｃを通して下レール１０の両側張出し部１０ａの先端間（長さｄ）が通過可能なものとして形成し、しかも上記両垂下壁１５から内側に向けての両鈎部２１，２２の突出長さｅ，ｆに大小の差異を持たせた構成を備えている。それらのガイド駒Ａ，Ｂは、同じ構造を備えてはいるが、上述のように相互に左右対称の形状である。
【００２７】
なお、図３に示すガイド駒Ａ，Ｂでは、鈎部２１の突出長さｅにより、該鉤部２１の先端が下レール１０の張出し部１０ａの下に突入する長さｇの設定を行い、また、鈎部２２の突出長さｆにより、該鉤部２２の先端が下レール１０の張出し部１０ａから離れる長さｈの設定を行っているが、これらの長さｇ，ｈは、本発明の趣旨を損なわない範囲において、スクリーン装置の使用条件に応じた適切な値に設定することができる。
【００２８】
また、図５は、下レール１０に中心位置を合わせてガイド駒Ａ，Ｂがガイドされる状態において、下レール１０の断面における各部と、図３の（ａ）及び（ｂ）に示すガイド駒Ａ，Ｂの鈎部２１，２２の各部との位置的関係を示すもので、図５の最上位にはガイド駒Ａの下部断面を、中位にはガイド駒Ｂの下部断面を、最下位には下レール１０の断面を示している。
【００２９】
上記スクリーンガイド１２においては、多数のガイド駒１３が、それらを貫通する挿通路１７に長尺の連結条１８を挿通することにより連結されているので、常時は、図５のように、下レール１０に中心位置を合わせて、つまり、ガイド駒Ａ，Ｂの多数が連結条１８により直線的に連結されて、下レール１０に跨乗している状態にあり、この状態においては、ガイド駒Ａ，Ｂにおける突出長さの大きい鈎部２１の先端部が、下レール１０の両側の上記張出し部１０ａの下にまで突入する状態にあり、一方、突出長さの小さい反対側の鈎部２２の先端部は下レール１０の張出し部１０ａの下にまで達しない状態にある。そのため、ガイド駒Ａ，Ｂの多数が連結されているスクリーンガイド１２は、ガイド駒Ａ，Ｂにおける突出長さの大きい鈎部２１の先端部が下レール１０の左右から該下レール１０の張出し部１０ａの下にまで挿入されて、恰も下レール１０を掴持するような状態で該下レールに摺動自在に係合している。
【００３０】
なお、一つのガイド駒１３が下レール１０から外れるに際しては、鈎部２１が張出し部１０ａの下にまで挿入されているため、自然にそのガイド駒の姿勢が傾斜して外されるのが通例であるため、前述のように、鈎部２１，２２の先端間の間隙ｃを通して、下レール１０の両側張出し部１０ａの先端間の長さｄが通過可能であるというのは、ｃ＞ｄを意味するものではない。即ち、例えば、図３の（ａ）において、ガイド駒Ａの突出長さの大きい鈎部２１が下レール１０の張出し部１０ａに深く係止する前にスクリーンガイド１２が上方に引き上げられると、上記ガイド駒Ａとその隣接ガイド駒との連結が非常に強固なものでなければ、該ガイド駒Ａ自体が傾動して、突出長さの小さい鈎部２２が下レール１０から離脱し、それに伴って、突出長さの大きい鈎部２１も下レール１０に対する係止が不安定になって、該下レール１０から離脱することになるため、上記ｃ＞ｄでなくてもガイド駒Ａが離脱することになる。これは、図３の（ｂ）におけるガイド駒Ｂについても同様である。
【００３１】
上記ガイド駒Ａ，Ｂの鈎部２１，２２は、上述したように、単純に垂下壁１５の下端からの突出長さに大小の差異を持たせたものとして構成することもできるが、図３の（ａ）（ｂ）に示すように、上記下レール１０における両側壁上部から突出する張出し部１０ａの下面を、該張出し部の基端側から先端側に向けて斜め上向きに傾斜する傾斜面１０ｂとした上で、上記ガイド駒Ａ，Ｂの突出長さの大きい鈎部２１における上側面を、上記下レール１０の張出し部１０ａの下面に形成した傾斜面１０ｂと接面する方向に傾斜させた傾斜面２１ａとして構成することもできる。
【００３２】
この構成は、可動桟６の操作によるスクリーンガイド１２の下レール１０に沿う移動時に、該下レールの傾斜面１０ｂに対してガイド駒Ａ，Ｂの鈎部２１の傾斜面２１ａが接触して受ける押圧力に、ガイド駒の鈎部２１に対し下レール１０の側方に押し出す分力を持たせるためのものであり、これらの傾斜面１０ｂと傾斜面２１ａとが強く接触したときには、ガイド駒の鈎部２１の先端が下レール１０の張出し部１０ａから離脱する可能性が非常に大きくなる。
【００３３】
また、上記２種以外の形態を持つ第３のガイド駒１３（以下の説明においては、この形態のものをガイド駒Ｃという。）は、前述したガイド駒１３の基本的構成を備えたものにおいて、上記一対の垂下壁１５の下端に設けている鈎部の突出長さは、上記２種の形態のガイド駒Ａ，Ｂの小さい方の突出長さと同じかそれ以下であり、極端には該突出長さが０であるものも含まれ、結果的に、それらがスクリーンガイド１２のガイド駒１３の中に組み込まれたときには、上記ガイド駒Ａ，Ｂのような格別の機能を発揮することなく、むしろ、上記ガイド駒Ａ，Ｂの動きに追随し、或いは、ガイド駒Ａ，Ｂが急激に強い風が吹いたりしてスクリーン７に突然に大きな動きが加えられたときに、図８の（ｂ）に示すような態様で、下レール１０から離脱しやすいように作用することになり、この作用と前記ガイド駒Ａ，Ｂの作用の複合により、スクリーン装置の設置環境にできるだけ適合させるように、上記ガイド駒Ａ，Ｂと混用されるものである。
【００３４】
次に、図６及び図７等を参照し、上記スクリーンガイド１２におけるガイド駒Ａ，Ｂ，Ｃの連結の態様について説明する。
上記スクリーンガイド１２は、一般的には、連結されている上記２種のガイド駒Ａ，Ｂにおける該スクリーンガイド１２の一側における鈎部２１，２２の突出長さの大小の配列が、１乃至数個のガイド駒１３置きに異なるものとなるように形成され、そして、上記２種のガイド駒Ａ，Ｂは鈎部２１，２２の突出長さの大小が対称の形態を備えていることから、当然に、該スクリーンガイド１２の他側の鈎部２１，２２の突出長さの大小も、１乃至数個のガイド駒１３置きに異なるものになるように形成される。そして、上記ガイド駒Ｃは、必要に応じて、上述したように連結されている２種のガイド駒Ａ，Ｂの間に離散的に分散して介在するように連結することになる。
【００３５】
図６は、上記スクリーンガイド１２においてガイド駒Ａ，Ｂのみを用いた連結の態様を例示するもので、隣接する各ガイド駒１３の一側の鈎部２１，２２を、交互に大小の異なる突出長さを持つものとし、つまり、ガイド駒Ａ，Ｂを交互に連結したものである。この場合には、スクリーン７に作用する風その他の外力により、スクリーンガイド１２が下レール１０から離脱する可能性が比較的少ないと考えられるが、鈎部２１の突出長さを調整しておくことにより、スクリーンガイド１２の下レール１０からの離脱の程度を適宜調整することができる。
【００３６】
また、図７は、スクリーンガイド１２における上記２種の形態のガイド駒Ａ，Ｂの数が比較的少なくなるように、上記ガイド駒Ｃの多数を用いた場合のガイド駒の連結例を示すもので、該ガイド駒Ｃの複数置きに上記２種の形態のガイド駒Ａ，Ｂをそれぞれ交互に、且つ離散的に連結することにより構成している。ガイド駒Ａ，Ｂの間に連結するガイド駒Ｃの数は、スクリーン装置の設置環境に応じて、スクリーンガイド１２の下レール１０からの離脱の程度をどのようにするかにより調整することができる。
【００３７】
上述したところでは、上記ガイド駒Ａ，Ｂ等の多数を基台部１４上の挿通路１７に可撓性のある連結条１８を挿通して直線的に連結することにより、スクリーンガイド１２を構成して、それを下レール１０に跨乗させる旨を説明し、更に、上記基台部１４の下レール１０に沿う方向の一端側に連結凸部１４ａを設けて、それを隣接するガイド駒１３の連結凹部１４ｂに嵌挿することにより連結の安定化を図る旨を説明しているが、一方では、ガイド駒Ａ，Ｂにおける突出長さが大きい鈎部２１の先端を下レール１０の張出し部１０ａの下にまで挿入していることから、それが下レール１０の張出し部１０ａから離脱するためには、上記スクリーンガイド１２にある程度の可撓性を持たせることが必要である。そのため、上記連結条１８を構成する素材や、ガイド駒における挿通路１７の形状、該連結条１８の挿通路１７に対する嵌挿時の隙間等により、隣接するガイド駒の傾動や横移動をどの程度許容するかについて配慮する必要がある。
【符号の説明】
【００３８】
２      スクリーン枠
３，４    側枠
６      可動桟
７      スクリーン
７ａ    係合部材
１０      下レール
１０ａ    張出し部
１２      スクリーンガイド
１３      ガイド駒
１４      基台部
１５      垂下壁
１６      凹溝
２１，２２    鈎部
【図１】
2018003546.tif 000003
【図２】
2018003546.tif 000004
【図３】
2018003546.tif 000005
【図４】
2018003546.tif 000006
【図５】
2018003546.tif 000007
【図６】
2018003546.tif 000008
【図７】
2018003546.tif 000009
【図８】
2018003546.tif 000010